(57)【要約】【課題】建物の室内の壁の一部に収納部が設けられる場合における上記収納部に設ける扉の唐突感を解消することができる収納壁を提供する。【解決手段】建物の室内１００の壁１には、当該室内１００に通じる収納部３が形成されており、この収納部３３の開口部に扉３１が設けられており、この扉３１の周囲箇所の収納部をなさない壁部分にはパネル４が取り付けられている。上記扉３１は、上記パネル４と外見上区別できない外観を有していている。また、上記壁１の裏側には階段２が設けられており、この階段２の下に、上記室内に通じる収納部３１が形成されている。【選択図】図２
2017179950.tif 000002
【特許請求の範囲】
【請求項１】
建物の室内の壁には、当該室内に通じる収納部が形成されており、この収納部の開口部に扉が設けられており、この扉の周囲箇所の当該室内側にとって収納部をなさない壁部分にはパネルが取り付けられていることを特徴とする収納壁。
【請求項２】
請求項１に記載の収納壁において、上記扉の表面には把手が設けられていないことを特徴とする収納壁。
【請求項３】
請求項２に記載の収納壁において、上記扉は、上記パネルと外見上区別できない外観を有することを特徴とする収納壁。
【請求項４】
請求項１〜請求項３のいずれか１項に記載の収納壁において、上記パネルと上記扉の幅と高さと厚さとが、少なくとも１つについて略同じであることを特徴とする収納壁。
【請求項５】
請求項１〜請求項４のいずれか１項に記載の収納壁において、上記扉の周囲箇所の収納部をなさない壁部分には、パネル取り付け下地が設けられており、このパネル取り付け下地に上記パネルが取り付けられていることを特徴とする収納壁。
【請求項６】
請求項５に記載の収納壁において、パネル取り付け下地には受け部が形成されており、上記パネルの裏面には上記受け部によって受けられる引っ掛け部が設けられていることを特徴とする収納壁。
【請求項７】
請求項１〜請求項６のいずれか１項に記載の収納壁において、上記壁の裏側には階段が設けられており、この階段の下に、上記室内に通じる収納部が形成されていることを特徴とする収納壁。
【請求項８】
請求項１〜請求項６のいずれか１項に記載の収納壁において、上記壁の内部に、上記収納部と隣室用の別の収納部とが隣接して設けられていることを特徴とする収納壁。
【発明の詳細な説明】
【技術分野】
【０００１】
この発明は、建物の室内の壁を収納に用いる収納壁に関する。
【背景技術】
【０００２】
特許文献１には、複数本の柱形とそれら各柱形間の外側寄りに設けられる内壁とによって囲まれた壁面凹部が、少なくとも室内の一の壁面に沿って複数箇所に形成され、これら複数箇所の壁面凹部に、前面の開口した箱状の外殻体を有する収納家具が、その前縁及び天端を同一面に揃え、奥行きの略半分以上を壁面凹部内に嵌め込むようにしてそれぞれ設置されるとともに、上記柱形の前面と上記収納家具の前縁との間の位置に内壁仕上面が形成された収納家具の設置構造が開示されている。
【先行技術文献】
【特許文献】
【０００３】
【特許文献１】特開２０００−３０３６７７号公報
【発明の概要】
【発明が解決しようとする課題】
【０００４】
ところで、室内の壁に設けた収納部に扉を設けた場合、周囲の壁面に対して上記扉が目立ち、唐突感が生じる。一方、上記特許文献１の技術は、壁の略全体を収納壁とする場合には好適と思われるが、壁の一部に収納部が設けられる場合における上記扉の唐突感を解消することはできない。
【０００５】
この発明は、上記の事情に鑑み、建物の室内の壁の一部に収納部が設けられる場合における上記収納部に設ける扉の唐突感を解消することができる収納壁を提供することを課題とする。
【課題を解決するための手段】
【０００６】
この発明の収納壁は、上記の課題を解決するために、建物の室内の壁には、当該室内に通じる収納部が形成されており、この収納部の開口部に扉が設けられており、この扉の周囲箇所の当該室内側にとって収納部をなさない壁部分にはパネルが取り付けられていることを特徴とする。
【０００７】
上記の構成であれば、上記収納部の開口部に設けた扉を、その周囲箇所に取り付けられたパネルによって目立たなくすることができるので、建物の室内の壁の一部に収納部が設けられる場合における上記収納部に設ける扉の唐突感を解消することができる。
【０００８】
上記扉の表面には把手が設けられていなくてもよい。これによれば、上記収納部の開口部に設けた扉を上記パネルによってより目立たなくすることができる。
【０００９】
上記扉は、上記パネルと外見上区別できない外観を有していてもよい。これによれば、上記収納部の開口部に設けた扉を上記パネルによってより一層目立たなくすることができる。
【００１０】
上記パネルと上記扉の幅と高さと厚さとが、少なくとも１つについて略同じであってもよい。これによれば、上記収納部の開口部に設けた扉を上記パネルによってさらに目立たなくすることができる。
【００１１】
上記扉の周囲箇所の収納部をなさない壁部分には、パネル取り付け下地が設けられており、このパネル取り付け下地に上記パネルが取り付けられていてもよい。これによれば、上記パネルの壁への取り付け作業を、上記パネル取り付け下地によって的確に行うことができる。
【００１２】
パネル取り付け下地には受け部が形成されており、上記パネルの裏面には上記受け部によって受けられる引っ掛け部が設けられていてもよい。上記パネルの壁への取り付け作業を、引っ掛けによって容易に行うことができる。
【００１３】
上記壁の裏側には階段が設けられており、この階段の下に、上記室内に通じる収納部が形成されていてもよい。或いは、上記壁の内部に、上記収納部と隣室用の別の収納部とが隣接して設けられていてもよい。
【発明の効果】
【００１４】
本発明であれば、建物の室内の壁の一部に収納部が設けられる場合における上記収納部に設ける扉の唐突感を解消することができるという効果を奏する。
【図面の簡単な説明】
【００１５】
【図１】本発明の実施形態の収納壁を正面側から示した概略の説明図である。
【図２】図１の収納壁を立体的に示した概略の立体図である。
【図３】図１の収納壁に設けてパネル取り付け下地にパネルの裏面に形成された引っ掛け部が引っ掛けられる様子を示した概略の断面図である。
【図４】本発明の他の実施形態の収納壁を正面側から示した概略の説明図である。
【図５】図４の収納壁を立体的に示した概略の立体図である。
【発明を実施するための形態】
【００１６】
以下、この発明の実施の形態を添付図面に基づいて説明する。
図１および図２に示すように、この実施形態の収納壁においては、建物の室内１００の壁１の裏側には階段２が設けられており、この階段２の下に、上記室内１００に通じる複数の収納部３が形成されている。そして、各収納部３の開口部には、図において太実線で示しているように、扉３１が設けられている。この扉３１は、いわゆるプッシュオープン式の扉であり、押すことにより扉３１が開くので、この扉３１の表面には把手が設けられておらず、扉３１の表面はフラットに形成されている。なお、把手を扉裏の縁等に設けておいてもよい。また、扉３１の表面をフラットにすることは一例に過ぎず、自然石の凹凸のような非フラットな面とすることもできる。また、上記扉３１を回動自在に支持するヒンジは、扉３１の裏面側で当該扉３１に隠れて見えないように配置されている。
【００１７】
上記扉３１の周囲箇所の当該室内１００側にとって収納部３をなさない壁部分には、図において細実線で透明的に示しているように、パネル４が取り付けられている。このパネル４の幅と高さと厚さと、上記扉３１の幅と高さと厚さとは、少なくとも１つについて略同じであるのが望ましい。この例では、上記パネル４の幅と高さと厚さと、上記扉３１の幅と高さと厚さとが、全てについて略同じにしている。さらに、色彩、模様、質感等においても略同じとなるように、パネル４と扉３１の表面に同じ化粧面を設けている。また、上記扉３１と同様、上記パネル４の表面についても、フラットではなく、上記のように自然石の凹凸のような非フラットな面とすることができる。
【００１８】
そして、上記のように扉３１を、いわゆるプッシュオープン式の扉にする場合には、この扉３１を上記パネル４と外見上区別できない外観にすることが比較的容易になる。もちろん、このようなプッシュオープン式以外の方式でも、扉３１を上記パネル４と外見上区別できない外観にすることができる。また、例えば、上記扉３１を白色または黒白とし、同様に、上記パネル４を白色または黒白とし、上記扉３１と上記パネル４の全体で市松模様を形成するようにしてもよく、このように同一色としない場合でも、上記扉３１を上記パネル４と外見上区別できない外観にすることができるものである。
【００１９】
また、上記扉３１と上記パネル４との配列を、この例においては、枡目状にしている。また、壁１の天井近くまで上記パネル４を配置している。もちろん、このような枡目状の配置に限定するものではないし、また、壁１の天井近くまで上記パネル４を配置することに限定するものでもない。また、上記扉３１と上記パネル４との配列を枡目状等にすると、上記扉３１同士の間、或いは上記パネル４同士の間、或いは上記扉３１と上記パネル４との間にできる縦目地または横目地が直線的に形成されることになるが、このような直線ではない段状等に目地が形成されるようにすることもできる。また、このような目地を極力狭くすることにより、隣り合う扉３１同士の間、隣り合うパネル４同士の間、および上記扉３１と上記パネル４との間の分断感を低減することができる。
【００２０】
上記壁１には、図３に示すように、パネル取り付け下地１１が設けられており、このパネル取り付け下地１１に上記パネル４を取り付けることができる。この例では、上記パネル取り付け下地１１には受け部１１ａが形成されており、上記パネル４の裏面には上記受け部１１ａによって受け止められる引っ掛け部４ａが設けられている。これにより、上記パネル４の裏面を上記パネル取り付け下地１１に向けて近づけてから下げることにより、上記引っ掛け部４ａを上記受け部１１ａに引っ掛けることができる。このような引っ掛けによる装着であると、上記パネル４の着脱を可能とすることができ、色や模様等の異なるパネル４同士を入れ替えて住人の好みにより模様替えすることも可能になる。なお、上記パネル取り付け下地１１に上記パネル４を接着剤などで固定するようにしてもよいものである。また、上記引っ掛け部４ａを上記パネル４とは別体にして螺子等で取り付けるようにしておき、上記パネル４に対する上記引っ掛け部４ａの位置の微調整が行えるようにしてもよい。この引っ掛け部４ａの位置の微調節により、上記パネル４の上下位置調整や傾き調整を行うことが可能になる。
【００２１】
上記の構成によれば、上記収納部３の開口部に設けた扉３１を、その周囲箇所に取り付けられたパネル４によって目立たなくすることができるので、建物の室内１００の壁１の一部に収納部３が設けられる場合における上記収納部３に設ける扉３１の唐突感を解消することができる。
【００２２】
上記扉３１に把手が設けられていないと、上記収納部３の開口部に設けた扉３１を上記パネル４によってより目立たなくすることができる。
【００２３】
上記扉３１が上記パネル４と外見上区別できない外観を有していると、上記収納部３の開口部に設けた扉３１を上記パネル４によってより一層目立たなくすることができる。
【００２４】
上記パネル４と上記扉３１の幅と高さと厚さとが、少なくとも１つについて略同じであると、上記収納部３の開口部に設けた扉３１を上記パネル４によってさらに目立たなくすることができる。
【００２５】
上記パネル取り付け下地１１に上記パネル４が取り付けられるようにすると、上記パネル４の壁１への取り付け作業を、上記パネル取り付け下地１１によって的確に行うことができる。
【００２６】
また、上記パネル取り付け下地に受け部１１ａが形成され、上記パネルの裏面に上記受け部１１ａによって受けられる引っ掛け部４ａが設けられていると、上記パネル４の壁１への取り付け作業を、引っ掛けによって容易に行うことができる。
【００２７】
次に、他の実施形態を、図４および図５を参照して説明していく。この実施形態の収納壁においては、室内１００側の壁１と隣室の壁１Ａとの間、すなわち、上記壁１の内部に、上記収納部３と隣室用の別の３つの収納部３Ａとが隣接して設けられている。そして、収納部３の開口部には、図において太実線で示しているように、扉３１が設けられている。また、上記扉３１の周囲箇所の当該室内１００側にとって収納部３をなさない壁部分には、図において細実線で透明的に示しているように、パネル４が取り付けられている。
【００２８】
この例においても、上記パネル４の幅と高さと厚さと、上記扉３１の幅と高さと厚さとは、全てについて略同じにしており、また、上記扉３１を、上記パネル４と外見上区別できない外観にしている。その他、把手等についても、上記実施例と同様にしている。
【００２９】
このような構成においても、上記収納部３の開口部に設けた扉３１を、その周囲箇所に取り付けられたパネル４によって目立たなくすることができるので、建物の室内１００の壁１の一部に収納部３が設けられる場合における上記収納部３に設ける扉３１の唐突感を解消することができる。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３１】
１      ：壁
１Ａ    ：壁
２      ：階段
３      ：収納部
３Ａ    ：収納部
４      ：パネル
４ａ    ：引っ掛け部
１１    ：パネル取り付け下地
１１ａ  ：受け部
３１    ：扉
１００  ：室内
【図１】
2017179950.tif 000003
【図２】
2017179950.tif 000004
【図３】
2017179950.tif 000005
【図４】
2017179950.tif 000006
【図５】
2017179950.tif 000007